(57)【特許請求の範囲】
【請求項１】
教示指令に応じてロボットを制御するロボット制御装置に対し、無線通信手段を介して前記教示指令を送信する可搬式の無線教示操作盤であって、
前記ロボットの駆動および停止指令が入力される駆動／停止入力部と、
教示操作盤本体に対して着脱可能に設けられ、前記教示操作盤本体に取り付けたときに前記ロボットの非常停止指令を入力可能な非常停止入力部と、
前記駆動／停止入力部に駆動または停止指令が入力されると、その駆動または停止指令に応じて前記ロボットを駆動または停止するための駆動または停止信号を出力し、前記教示操作盤本体に取り付けた前記非常停止入力部に非常停止指令が入力されると、前記ロボットを非常停止状態とするための非常停止信号を出力する信号出力部とを備え、
前記信号出力部は、前記駆動または停止信号と前記非常停止信号を、それぞれ前記無線通信手段を介して前記ロボット制御装置に送信し、
前記非常停止入力部は、前記非常停止指令が入力されたときに、前記非常停止入力部が取り外されたときと同一の信号を前記信号出力部に対して出力することを特徴とする無線教示操作盤。
【請求項２】
請求項１に記載の無線教示操作盤において、
前記非常停止入力部の着脱を検出する着脱検出手段をさらに備え、
前記信号出力部は、
前記着脱検出手段により前記非常停止入力部の取り付け状態が検出されると、前記非常停止入力部の操作による非常停止機能を有効化して前記非常停止入力部の操作時に前記非常停止信号を出力し、
前記着脱検出手段により前記非常停止入力部の取り外し状態が検出されると、前記非常停止入力部の操作による非常停止機能を無効化して前記非常停止信号を出力することを特徴とする無線教示操作盤。
【請求項３】
請求項２に記載の無線教示操作盤において、
前記無線通信手段を介した無線通信の切断を指令する通信切断指令手段と、
前記着脱検出手段により前記非常停止入力部の取り付け状態が検出されると、前記通信切断指令手段による無線通信の切断を禁止し、前記非常停止入力部の取り外し状態が検出されると、無線通信の切断を許可する無線切断制御手段とをさらに備えることを特徴とする無線教示操作盤。
【請求項４】
請求項２または３に記載の無線教示操作盤において、
前記教示操作盤は、前記着脱検出手段により前記非常停止入力部の取り外し状態が検出されると、前記無線通信手段を介した前記ロボット制御装置からの信号に基づいて前記ロボットの状態を表示する表示部をさらに備えることを特徴とする無線教示操作盤。
【請求項５】
請求項２〜４のいずれか１項に記載の無線教示操作盤において、
複数の前記ロボット制御装置のいずれかとの認証の設定および解除を指令する認証指令手段と、
前記着脱検出手段により前記非常停止入力部の取り付け状態が検出されると、前記認証指令手段による認証の設定を許可するとともに認証の解除を禁止し、前記非常停止入力部の取り外し状態が検出されると、前記認証指令手段による認証の設定を禁止するとともに認証の解除を許可する認証制御手段とをさらに備えることを特徴とする無線教示操作盤。
【請求項６】
請求項２〜５のいずれか１項に記載の無線教示操作盤において、
電源のオフ指令が入力されるオフ指令入力手段と、
前記着脱検出手段により前記スイッチ装置の取り付け状態が検出されると、前記オフ指令入力手段による電源オフを禁止し、前記スイッチ装置の取り外し状態が検出されると、前記オフ指令入力手段による電源オフを許可する電源制御手段とをさらに備えることを特徴とする無線教示操作盤。
【請求項７】
請求項１〜６のいずれか１項に記載の無線教示操作盤と、
前記無線通信手段を介してこの無線教示操作盤との間で通信するロボット制御装置と、
前記ロボット制御装置により制御されるロボットとを備えることを特徴とするロボット制御システム。
【請求項８】
請求項７に記載のロボット制御システムにおいて、
前記ロボット制御装置は、前記無線教示操作盤との無線通信が遮断されると、前記ロボットを非常停止状態もしくは保護停止状態とすることを特徴とするロボット制御システム。
【発明の詳細な説明】
【技術分野】
【０００１】
本発明は、無線通信によりロボットの教示指令を送信する無線教示操作盤およびロボット制御システムに関する。
【背景技術】
【０００２】
従来より、非常停止釦等を有する可搬式の教示操作盤とロボット制御装置とを無線通信し、作業者が教示操作盤の非常停止釦等を操作することで教示操作盤から制御装置に非常停止信号を送信し、制御装置によりロボットを非常停止させるようにした装置が知られている（例えば特許文献１参照）。
【先行技術文献】
【特許文献】
【０００３】
【特許文献１】特開２００４−１４８４８８号公報
【発明の概要】
【発明が解決しようとする課題】
【０００４】
この種の装置において、例えば無線式教示操作盤自体の電源が切れていたり、教示操作盤と制御装置の間の無線通信が確立していない場合には、教示操作盤から制御装置に信号が送信されず、教示操作盤の操作による非常停止機能が無効となる。しかしながら、非常停止機能が無効であるか否かを作業者が一見して認識することは困難であり、非常停止機能が無効であるにも拘わらず、有効であると誤認するおそれがあった。
【課題を解決するための手段】
【０００５】
教示指令に応じてロボットを制御するロボット制御装置に対し、無線通信手段を介して教示指令を送信する可搬式の無線教示操作盤であって、ロボットの駆動および停止指令が入力される駆動／停止入力部と、教示操作盤本体に対して着脱可能に設けられ、教示操作盤本体に取り付けたときにロボットの非常停止指令を入力可能な非常停止入力部と、駆動／停止入力部に駆動または停止指令が入力されると、その駆動または停止指令に応じてロボットを駆動または停止するための駆動または停止信号を出力し、非常停止入力部に非常停止指令が入力されると、ロボットを非常停止状態とするための非常停止信号を出力する信号出力部とを備え、信号出力部は、駆動または停止信号と非常停止信号を、それぞれ無線通信手段を介してロボット制御装置に送信し、非常停止入力部は、非常停止指令が入力されたときに、非常停止入力部が取り外されたときと同一の信号を信号出力部に対して出力することを特徴とする。
【発明の効果】
【０００６】
本発明によれば、非常停止指令を入力可能な非常停止入力部を、教示操作盤本体に対して着脱可能に設けたので、作業者は非常停止機能の無効を容易に認識できる。
【図面の簡単な説明】
【０００７】
【図１】本発明の実施の形態にかかるロボット制御システムの全体構成を概略的に示す図である。
【図２】図１の教示操作盤と制御装置の内部構成を概略的に示す図である。
【図３】図１の教示操作盤内の主要な電気回路の構成を示す図である。
【発明を実施するための形態】
【０００８】
以下、図１〜図３を参照して本発明の実施の形態について説明する。図１は、本発明の実施の形態に係るロボット制御システムの全体構成を概略的に示す図である。このロボット制御システムは、複数（図では３台）のロボット１と、各ロボット１を制御する複数の制御装置１０と、これら複数の制御装置１０の中から選択された一の制御装置１０との間で、例えば無線ＬＡＮなどの双方向近距離無線通信を行う可搬式の教示操作盤２０とを備える。教示操作盤２０は、主にロボット１を自動運転する前にロボット１の動作（位置や姿勢）を教示する教示作業に用いられる。なお、無線ＬＡＮ以外に例えばブルートゥース（Bluetooth（登録商標））等、他の無線通信形式を用いてもよい。
【０００９】
ロボット１は、サーボモータ２（図２）により駆動するアーム３とアーム先端部に取り付けられた作業用ツール４とを備える産業用ロボットであり、工場内で各種作業（例えば溶接など）を行う。教示操作盤２０には、ロボット１の動作や教示操作盤２０の設定などに関する各種指令が入力される入力部２１と、ロボット１の設定状態や動作状態、電子マニュアル等の各種情報を表示する表示部２２とが設けられている。入力部２１は、ロボット１の非常停止指令が入力される非常停止スイッチ３１を含み、非常停止スイッチ３１は後述するように教示操作盤本体３０から着脱可能である。
【００１０】
図２は、教示操作盤２０と制御装置１０の内部構成を概略的に示す図である。教示操作盤２０は、入力部２１と、表示部２２と、バッテリ２３と、無線通信部２４と、教示コントローラ２５と、非常停止スイッチ３１の着脱を検出する着脱検出部２６とを有する。入力部２１は、非常停止スイッチ３１と、キー操作によりロボット１の駆動、停止等を指令するキースイッチ３２と、教示操作盤２０の電源のオンオフを指令する電源スイッチ３３とを有する。
【００１１】
無線通信部２４は、電波送受信用のアンテナと有線・無線変換器とを有し、教示コントローラ２５からの出力信号が無線通信部２４で無線信号に変換され、制御装置１０に送信される。教示コントローラ２５は、ＣＰＵ，ＲＯＭ，ＲＡＭ，その他の周辺回路などを有する演算処理装置を含んで構成される。
【００１２】
教示コントローラ２５は、無線通信部２４における有線・無線の変換および無線の断接を処理する無線処理部４１と、教示コントローラ２５から無線通信部２４に出力される出力信号を処理する信号処理部４２と、制御装置１０に対する認証設定および認証解除の処理を行う認証処理部４３と、電源のオンオフを処理する電源処理部４４と、表示部２２の表示画像の処理を行う表示処理部４５とを有する。各処理部４１〜４５のより詳細な内容については後述する。
【００１３】
制御装置１０は、無線通信部１１と、制御コントローラ１２と、サーボモータ２へ電力を供給する電力供給部１３とを有する。無線通信部１１は、電波送受信用のアンテナと有線・無線変換器とを有する。制御コントローラ１２は、ＣＰＵ，ＲＯＭ，ＲＡＭ，その他の周辺回路などを有する演算処理装置を含んで構成される。
【００１４】
制御コントローラ１２は、教示作業時における無線通信部１１を介した教示操作盤２０との通信を制御するとともに、電力供給部１３からの電力供給を制御し、教示操作盤２０からの指令に従いサーボモータ２を駆動し、ロボット１を動作させる。教示操作盤２０から後述の非常停止信号が送信されると、制御コントローラ１２はサーボモータ２への電力供給を遮断させ、ロボット１を非常停止状態とする。
【００１５】
図３は、教示操作盤２０内の主要な電気回路の構成を示す図である。非常停止スイッチ３１は、コネクタ部３４を介して教示操作盤本体３０に着脱可能に設けられている。図は、教示操作盤本体３０に非常停止スイッチ３１が取り付けられたスイッチ取り付け状態を示している。このスイッチ取り付け状態では、非常停止スイッチ３１内の一対の非常停止回路３５と教示操作盤本体３０内の一対の非常停止回路３５とが、コネクタ３４を介してそれぞれ接続され、非常停止機能が有効となっている。
【００１６】
非常停止スイッチ３１は、常閉接点を有するプッシュ式スイッチとして構成され、スイッチ取り付け状態では、スイッチ操作部３６が押下操作されない限り、教示コントローラ２５に非常停止回路３５からローレベル信号が入力される。この状態から、スイッチ操作部３６の押下操作により非常停止指令が入力されると、非常停止回路３５が常開となって、非常停止回路３５から教示コントローラ２５にハイレベル信号が入力される。
【００１７】
一方、非常停止スイッチ３１が取り外されたスイッチ取り外し状態では、非常停止回路３５が常開になり、教示コントローラ２５には非常停止回路３５から常にハイレベル信号が入力される。この状態では、非常停止スイッチ３１の操作による非常停止機能は無効である。
【００１８】
着脱検出部２６は、コネクタ３４を介して配線されたスイッチ検出回路３７により構成され、非常停止スイッチ３１の着脱に応じた信号がスイッチ検出回路３７から教示コントローラ２５に入力される。すなわち、スイッチ取り付け状態では、スイッチ検出回路３７が常閉となって、スイッチ検出回路３７から教示コントローラ２５にローレベル信号が入力される。スイッチ取り外し状態では、スイッチ検出回路３７が常開となって、教示コントローラ２５にハイレベル信号が入力される。
【００１９】
このように本実施の形態では、教示操作盤２０の非常停止スイッチ３１を教示操作盤本体３０に対して着脱可能に設けたので、非常停止スイッチ３１の取り外し時に非常停止機能が無効であることを作業者は容易に認識できる。なお、非常停止スイッチ３１の取り外し時には、非常停止スイッチ３１を操作しても、スイッチ３１からなんら信号は送信されない。
【００２０】
以下、図２のコントローラ内における特徴的な処理内容について主に説明する。
（１）信号処理部
教示コントローラ２５には、キースイッチ３２の操作によりロボット１の駆動および停止指令が入力される。非常停止回路３５からコントローラ２５にローレベル信号が入力されているとき、信号処理部４２は、キー操作に応じた駆動および停止信号を出力し、この出力信号が無線通信部２４を介して制御装置１０に送信される。制御装置１０は、教示操作盤２０からの出力信号に応じて電力供給部１３を制御し、これによりキースイッチ３２の操作に応じてロボット１が駆動および停止する。
【００２１】
非常停止スイッチ３１の押下操作または取り外しにより、コントローラ２５にハイレベル信号が入力されると、信号処理部４２は、非常停止信号を出力し、この非常停止信号は無線通信部２４を介して制御装置１０に送信される。制御装置１０が非常停止信号を受信すると、制御コントローラ１２はサーボモータ２への電力供給を遮断し、キースイッチ３２の操作に優先してロボット１を非常停止状態とする。すなわちロボット１が動作中であればその動作を非常停止し、ロボット１が停止中であれば停止状態を維持する。
【００２２】
このように信号処理部４２は、着脱検出部２６により非常停止スイッチ３１の取り付け状態が検出されると、非常停止スイッチ３１の操作による非常停止機能を有効化し、非常停止スイッチ３１の操作時に非常停止信号を出力する。一方、非常停止スイッチ３１の取り外し状態が検出されると、非常停止スイッチ３１の操作による非常停止機能を無効化し、常に非常停止信号を出力する。
【００２３】
これにより作業者は、教示操作盤２０が有する非常停止機能が有効か無効かを非常停止スイッチ３１の着脱に応じて容易に判断することができ、非常停止機能が無効であるにも拘わらず、有効であると誤認することを防止できる。非常停止機能が無効の場合にロボット１は強制的に非常停止状態とされ、非常停止機能が有効の場合にのみ、すなわち非常停止スイッチ３１が取り付けられている場合にのみ、教示作業によりロボット１を駆動することができるため、安全性が高い。
【００２４】
なお、本実施の形態では、図３に示すように教示操作盤２０に一対の非常停止回路３５が設けられ、各非常停止回路３５に対応して教示コントローラ２５および制御コントローラ１２にも一対のＣＰＵが設けられる。したがって、教示操作盤２０は各非常停止回路３５に対応して互いに独立した一対の非常停止信号を送信し、制御装置１０は、少なくとも一の非常停止信号を受信すると、ロボット１を非常停止状態とする。このように非常停止回路３５を独立して二系統設けることで、仮に一方が故障しても非常停止信号を確実に送信することができ、非常停止機能の安全性が高まる。
【００２５】
（２）無線処理部
制御装置１０との無線通信の断接は、キースイッチ３２の操作により指令される。無線処理部４１は、非常停止スイッチ３１の着脱に応じてキースイッチ３２の操作による無線の切断を許可又は禁止する。すなわち、着脱検出部２６によりスイッチ取り付け状態が検出されると、無線通信部２４における信号の送受信を許可し、スイッチ操作により無線の切断が指令されても、無線の切断を禁止し、無線通信を維持する。一方、スイッチ取り外し状態が検出され、無線の切断が指令されると無線を切断する。
【００２６】
これにより無線通信が遮断された状態では非常停止スイッチ３１が取り外されるため、非常停止機能が無効であるのに有効であると作業者が誤認することを防止できる。つまり、教示操作盤２０に非常停止スイッチ３１が取り付けられている場合、作業者は無線通信が遮断されていても、非常停止スイッチ３１の操作により非常停止が可能と誤認するおそれがあるが、非常停止スイッチ３１の取り外しを通信遮断の条件とすることにより、これを防止できる。なお、非常停止スイッチ３１が取り外されている状態では、キースイッチ３２の操作により無線の接続が指令されても、信号処理部４２での処理によりロボット１の駆動は禁止される。
【００２７】
（３）認証処理部
制御装置１０との認証設定および解除は、キースイッチ３２の操作により指令される。例えば認証設定は以下のように行われる。初めに教示操作盤２０は図１の複数の制御装置１０と通信を行って通信可能な制御装置１０の一覧を表示部２２に表示する。次いで、作業者は、表示された一覧の中からキー操作により一の制御装置１０を選択する。各制御装置１０には予め識別情報として固有のコントローラＩＤが付与されており、認証処理部４３は、選択された制御装置１０のコントローラＩＤに対応するコントローラアドレスを接続先アドレスとして登録する。さらに選択した制御装置１０に、無線通信部２４を介して自己のアドレスを通知し、制御装置１０はこのアドレスを接続先アドレスとして登録する。以上により認証設定が行われ、以降、互いのアドレスを確認し合いながら教示操作盤２０と選択された制御装置１０との間で通信が行われる。認証解除は接続先アドレスを削除することにより行われ、これにより教示操作盤２０と制御装置１０との通信が遮断される。
【００２８】
認証設定部４３は、非常停止スイッチ３１の着脱に応じて認証設定と解除を許可または禁止する。すなわち着脱検出部２６によりスイッチ取り付け状態が検出されると、キースイッチ３２の操作による認証設定を許可するとともに、認証の解除を禁止する。スイッチ取り外し状態が検出されると、キースイッチ３２の操作による認証設定を禁止するとともに、認証の解除を許可する。
【００２９】
これにより非常停止スイッチ３１が取り付け状態にないと、認証設定は行われず、逆に、非常停止スイッチ３１が取り外し状態にないと、認証解除は行われない。したがって、認証設定した際は非常停止スイッチ３１の機能が有効であり、非常停止スイッチ３１の操作によりロボット１を非常停止できる。また、認証が解除されているにも拘わらず、作業者が非常停止スイッチ３１を有効であると誤認することを防止でき、安全性が高まる。
【００３０】
（４）電源処理部
電源処理部４４は、電源スイッチ３３の操作によるオンオフ指令に応じて教示操作盤２０の電源をオンまたはオフする。この際、電源処理部４４は、非常停止スイッチ３１の着脱に応じて電源オフを許可または禁止する。すなわち、スイッチ取り付け状態が検出されると、電源スイッチ３３の操作による電源オフを禁止し、スイッチ取り外し状態が検出されると、電源スイッチ３３の操作による電源オフを許可する。
【００３１】
これにより教示操作盤２０と制御装置１０との通信が電源オフによって遮断された状態では、常に非常停止スイッチ３１が取り外されている。したがって、電源がオフされているにも拘わらず、非常停止スイッチ３１の機能が有効であると作業者が誤認することを防止できる。なお、非常停止スイッチ３１が取り外されている状態では、電源スイッチ３３の操作により電源オンが指令されても、信号処理部４２での処理によりロボット１の駆動は禁止される。
【００３２】
（５）表示処理部
表示処理部４５は、無線通信により得られた制御装置１０からの情報を基に画像信号を生成し、表示部２２に表示画像を表示する。表示画像の形態は非常停止スイッチ３１の着脱に応じて異なり、スイッチ取り付け状態が検出されると、信号処理部４２での処理により教示操作盤２０からの指令によるロボット１の駆動が可能であるため、表示部１０にはロボット１の教示作業に役立つ各種情報が表示される。
【００３３】
一方、スイッチ取り外し状態が検出されると、ロボットの認証処理が不可能であり、教示操作盤２０からの指令によるロボット１の駆動が不可能であるため、表示部２２にはロボット１の姿勢データ等のロボット１の状態が表示される。すなわち、この場合、教示操作盤２０は単なる表示器として機能し、作業者はこの表示を見ることでロボット１の状態を認識できる。
【００３４】
制御コントローラ１０は、教示操作盤２０からの指令を受けてロボット１の駆動を制御するだけでなく、教示操作盤２０との通信状態を常に監視し、通信が途絶えると、電力供給部１３からの電力供給を遮断してロボット１を非常停止状態とし、あるいはロボット１を保護停止状態とする。これにより認証状態にある無線通信が途絶えたり、教示操作盤２０のバッテリ２３の電力不足により通信が途絶えたりして、非常停止機能が無効になった場合、制御装置１０がロボット１を停止するため、安全性が向上する。なお、非常停止は手動のみで開始およびリセットできるのに対し、保護停止は、手動または自動で開始およびリセットできる。
【００３５】
以上をまとめれば、本実施の形態により以下のような作用効果を奏することができる。
（１）教示操作盤２０の非常停止スイッチ３１を教示操作盤本体３０に対して着脱可能に設けたので、非常停止スイッチ３１の取り外し時に非常停止機能が無効であることを作業者は容易に認識できる。
（２）非常停止スイッチ３１の取り外し状態が検出されると、信号処理部４２での処理により、制御装置１０に非常停止信号を出力するようにしたので、非常停止機能が無効の場合には、教示作業によりロボット１を駆動することができず、安全性が高い。
（３）非常停止スイッチ３１の取り付け状態が検出されると、無線処理部４１での処理により、キースイッチ３２の操作による無線通信の切断を禁止するようにしたので、通信が遮断されているにも拘わらず、非常停止スイッチ３１の機能が有効であると誤認することを防止できる。
【００３６】
（４）非常停止スイッチ３１の取り外し状態が検出されると、認証処理部４３での処理により、キースイッチ３２の操作による認証設定を禁止したので、非常停止機能が無効のまま通信が確立することを防止できる。また、非常停止スイッチ３１の取り付け状態が検出されると、認証解除を禁止するようにしたので、認証が解除されているにも拘わらず、非常停止スイッチ３１の機能が有効であると誤認することを防止できる。
（５）非常停止スイッチ３１の取り付け状態が検出されると、電源処理部４４での処理により、電源スイッチ３３の操作による電源オフを禁止するようにしたので、電源がオフされているにも拘わらず、非常停止スイッチ３１の機能が有効であると誤認することを防止できる。
（６）非常停止スイッチ３１の取り外し状態が検出されると、表示処理部４５での処理により、ロボット１の姿勢データ等の状態を表示するようにしたので、作業者はロボット１の状態を容易に認識できる。
（７）教示操作盤２０との通信が途絶えると、制御装置１０がロボット１を停止するようにしたので、教示操作盤２０のバッテリ２３の電力不足等により教示操作盤２０から非常停止信号が送信不能の場合には、ロボット１が駆動されず、安全性が高まる。
【００３７】
なお、上記実施の形態では、キースイッチ３２の操作によりロボット１の駆動および停止指令を入力するようにしたが、駆動／停止入力部の構成はこれに限らない。非常停止スイッチ３１をプッシュ式スイッチとしたが、教示操作盤本体３０に対して着脱可能に構成されるのであれば、非常停止入力部の構成はいかなるものでもよい。ロボット１の駆動および停止指令に応じた駆動および停止信号を出力し、非常停止指令に応じた非常停止信号を出力するのであれば、信号出力部としての信号処理部４２の構成は上述したものに限らない。
【００３８】
着脱検出手段としての着脱検出部２６の構成はいかなるものでもよく、教示操作盤２０の電気回路の構成も図３に示したものに限らない。したがって、非常停止回路を二系統設けてもなくてもよい。キースイッチ３２により無線の断接を指令するようにしたが、通信切断指令手段はこれに限らず、例えば専用の手動スイッチを設けて無線の断接を指令するようにしてもよい。非常停止スイッチ３１の取り付け状態が検出されると、手動での無線通信の切断を禁止するのであれば、無線切断制御手段としての無線処理部４１の構成はいかなるものでもよい。
【００３９】
キースイッチ３２の操作により認証設定および解除を指令するようにしたが、認証指令手段はこれに限らず、例えば専用の手動スイッチを設けて認証設定および解除を指令するようにしてもよい。非常停止スイッチ３１の取り付け状態が検出されると、認証設定を許可するとともに認証解除を禁止し、非常停止スイッチ３１の取り外し状態が検出されると、認証設定を禁止するとともに認証解除を許可するのであれば、認証制御手段としての認証処理部４３の構成はいかなるものでもよい。電源スイッチ３３の操作により電源オフを指令したが、他のオフ指令入力手段を用いてもよい。非常停止スイッチ３１の取り付け状態が検出されると電源オフを禁止するのであれば、電源制御手段としての電源処理部４４の構成はいかなるものでもよい。本発明は、教示操作盤本体３０に対して非常停止スイッチ３１を着脱可能とした点を特徴とする。したがって、上述した教示コントローラ２５の有する機能は一例であり、上述の機能を全て備える必要はなく、教示コントローラ２５が異なる機能を有してもよい。
【００４０】
以上の実施の形態では、複数台の制御装置１０のいずれかと通信を行う場合について説明したが、単一の制御装置１０との間で無線通信を行う場合にも本発明を同様に適用できる。上記実施の形態では、工場内で駆動する産業用ロボットに適用する場合について説明したがロボット１の形態は上述したものに限らず、他のロボット１にも同様に適用できる。すなわち、本発明の特徴、機能を実現できる限り、本発明は実施の形態の無線教示操作盤およびロボット制御システムに限定されない。
【符号の説明】
【００４１】
１    ロボット
１０    制御装置
１１    無線通信部
１２    制御コントローラ
２０    教示操作盤
２２    表示部
２４    無線通信部
２５    教示コントローラ
２６    着脱検出部
３０    教示操作盤本体
３１    非常停止スイッチ
３２    キースイッチ
３３    電源スイッチ
４１    無線処理部
４２    信号処理部
４３    認証処理部
４４    電源処理部
４５    表示処理部
【図１】
0005394136.tif 000002
【図２】
0005394136.tif 000003
【図３】
0005394136.tif 000004